(57)【要約】【課題】  液晶表示部の輝度低下を防止しつつ電池寿命を延ばすことができる表示装置及び表示制御方法を提供する。【解決手段】  電池４２の残容量が所定量以下となったときに、バックライト５０に供給する電力が小さくなるように制御する（１０４）と共に、ＬＣＤ４６への画像信号のゲイン（振幅）が大きくなるように制御する（１０６）。【選択図】        図４
2006201399.tif 000002
【特許請求の範囲】
【請求項１】
画像信号に基づいて画像を表示する液晶表示部と、
前記液晶表示部を照明するバックライトと、
前記液晶表示部及び前記バックライトに駆動用の電力を供給する電源と、
前記電源の残容量を検出する検出手段と、
前記検出手段によって検出された前記電源の残容量が所定量以下となったときに、前記バックライトに供給する電力が小さくなるように制御すると共に、前記液晶表示部への画像信号のゲインが大きくなるように制御する制御手段と、
を含む表示装置。
【請求項２】
前記制御手段は、前記バックライトに流す電流値を小さくすることにより、前記バックライトに供給する電力を小さくする請求項１記載の表示装置。
【請求項３】
画像信号に基づいて画像を表示する液晶表示部と、前記液晶表示部を照明するバックライトと、前記液晶表示部及び前記バックライトに駆動用の電力を供給する電源とを備えた表示装置の表示制御方法であって、
前記電源の残容量が所定量以下となったときに、前記バックライトに供給する電力が小さくなるように制御すると共に、前記液晶表示部への画像信号のゲインが大きくなるように制御する表示制御方法。
【発明の詳細な説明】
【技術分野】
【０００１】
本発明は、画像信号に基づいて画像を表示する液晶表示部と該液晶表示部を照明するバックライトを備えた表示装置及び該表示装置の表示制御方法に関する。
【背景技術】
【０００２】
従来より、バックライトが液晶表示部を照明することにより液晶表示部に表示された画像を可視化する透過型の液晶表示装置が知られている。このような液晶表示装置は、軽薄短小という特徴から、デジタルカメラやＰＤＡ等の様々な携帯機器に搭載されている。
【０００３】
携帯機器は、電源として主に電池が使用される。電池は携帯機器の使用に伴って消耗するため、従来より電池の寿命を延ばすために様々な技術が提案されている。
【０００４】
例えば、液晶表示装置に対して商用電源駆動または電池駆動を自動判別して表示装置のバックライトの電力を低減させる方法が提案されている（例えば、特許文献１参照）。
【０００５】
また、バッテリ電圧が低下したときに、デューティー制御することによりバックライトの消費電流を減少させる自動調光回路が提案されている（例えば、特許文献２参照）。
【０００６】
このように、従来は、電池駆動時に電池電圧を監視して電池の残量が低下してきた場合に、負荷（バックライト）に対する電力の供給を制限して電池の寿命を延ばし、携帯機器を長時間継続して使用できるようにしていた。
【特許文献１】特開平５−２７６６５６号公報
【特許文献２】特開平６−２０５３４３号公報
【発明の開示】
【発明が解決しようとする課題】
【０００７】
しかしながら、上記従来の技術では、電池寿命を延ばすためにバックライトの消費電流（消費電力）を低減させているが、それにより液晶表示面の輝度が低下する（すなわち画面が暗くなる）ため、携帯機器（液晶表示装置）として品位、性能、操作性が悪化してしまう、という問題がある。
【０００８】
本発明は上記問題を解決するためになされたものであり、液晶表示部の輝度低下を防ぎつつ電池寿命を延ばすことができる表示装置及び表示制御方法を提供することを目的とする。
【課題を解決するための手段】
【０００９】
上記目的を達成するために、本発明の表示装置は、画像信号に基づいて画像を表示する液晶表示部と、前記液晶表示部を照明するバックライトと、前記液晶表示部及び前記バックライトに駆動用の電力を供給する電源と、前記電源の残容量を検出する検出手段と、前記検出手段によって検出された前記電源の残容量が所定量以下となったときに、前記バックライトに供給する電力が小さくなるように制御すると共に、前記液晶表示部への画像信号のゲインが大きくなるように制御する制御手段と、を含んで構成されている。
【００１０】
この表示装置は、画像信号に基づいて画像を表示する液晶表示部と、前記液晶表示部を照明するバックライトと、液晶表示部及びバックライトに駆動用の電力を供給する電源とを備えた、透過型の液晶表示装置である。検出手段は、該電源の残容量を検出する。制御手段は、検出手段によって検出された該電源の残容量が所定量以下となったときに、バックライトに供給する電力が小さくなるように制御すると共に、液晶表示部への画像信号のゲインが大きくなるように制御する。
【００１１】
これにより、この表示装置に搭載された電池の残容量が所定量まで低下した場合には、液晶表示部を照明するバックライトへ供給する電力を低下させることができるため、電池寿命を延ばすことができる。さらにまた、本発明では、バックライトへの電力を低下させたときに発生する液晶表示部の輝度低下を、液晶表示部への画像信号のゲイン（振幅）を大きくすることによって防止することができる。なお、液晶表示部への画像信号のゲインを大きくしても、消費電力は増大しない。
【００１２】
なお、前記バックライトに供給する電力を小さくために、バックライトに印加する電圧値を小さくするようにしてもよいが、バックライトに流す電流値を小さくするようにしてもよい。
【００１３】
また、本発明の表示制御方法は、画像信号に基づいて画像を表示する液晶表示部と、前記液晶表示部を照明するバックライトと、前記液晶表示部及び前記バックライトに駆動用の電力を供給する電源とを備えた表示装置の表示制御方法であって、前記電源の残容量が所定量以下となったときに、前記バックライトに供給する電力が小さくなるように制御すると共に、前記液晶表示部への画像信号のゲインが大きくなるように制御する。
【００１４】
本発明の表示制御方法も、本発明の表示装置と同様に作用するため、液晶表示部の輝度を低下させずに電池寿命を延ばすことができる。
【発明の効果】
【００１５】
本発明に係る表示装置及び表示制御方法によれば、液晶表示部及びバックライトに駆動用の電力を供給する電源の残容量が所定量以下となったときに、バックライトに供給する電力が小さくなるように制御すると共に、液晶表示部への画像信号のゲインが大きくなるように制御するようにしたので、液晶表示部の輝度低下を防ぎつつ電源（電池）寿命を延ばすことができる、という優れた効果を奏する。
【発明を実施するための最良の形態】
【００１６】
以下、図面を参照して、本発明の実施の形態について詳細に説明する。なお、本実施の形態では、本発明の表示装置を、デジタルスチルカメラ（以下、単に「デジタルカメラ」という。）に適用した場合の形態について説明する。まず、図１を参照して、本実施の形態に係るデジタルカメラ１０の概略構成を説明する。
【００１７】
同図に示すように、デジタルカメラ１０は、レンズ１２と、レンズ１２の光軸後方に配設されたＣＣＤ（Charge Coupled Device）１４と、相関二重サンプリング回路（以下、「ＣＤＳ」という。）１６と、入力されたアナログ画像信号をデジタル画像信号に変換するアナログ／デジタル変換器（以下、「ＡＤＣ」という。）１８と、デジタルカメラ１０全体の動作を司るマイクロ・コンピュータ（以下、「マイコン」という。）２０と、所定容量のラインバッファを内蔵すると共に入力されたデジタル画像信号に対して所定のデジタル信号処理を施す一方、撮影によって得られたデジタル画像信号により示される被写体像や各種メニュー画面、メッセージ等を表示するための液晶ディスプレイ（以下、「ＬＣＤ」という。）４６に対する表示動作を司るＤＳＰ（Digital Signal Processor）で構成された信号処理回路２２と、主として撮影により得られたデジタル画像信号を記憶するＳＤＲＡＭ（Synchronous Dynamic Random Access Memory）により構成されたメモリ２６と、ＣＣＤ１４を駆動させるための駆動信号を生成するＣＣＤ駆動部２８と、ＣＤＳ１６、信号処理回路２２、ＣＣＤ駆動部２８等の各部に対し必要とされるタイミング信号を供給するタイミング信号発生部３０と、を含んで構成されている。
【００１８】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素信号を得る処理である。
【００１９】
ＣＣＤ１４の出力端子はＣＤＳ１６の入力端子に、ＣＤＳ１６の出力端子はＡＤＣ１８の入力端子に、ＡＤＣ１８の出力端子は信号処理回路２２の入力端子に、各々接続されている。また、信号処理回路２２はマイコン２０及びデータバスＢＵＳの各々と接続されており、メモリ２６もデータバスＢＵＳと接続されている。更に、マイコン２０はタイミング信号発生部３０の入力端子に、タイミング信号発生部３０の出力端子はＣＤＳ１６、信号処理回路２２、ＣＣＤ駆動部２８等の入力端子に、ＣＣＤ駆動部２８の出力端子はＣＣＤ１４の入力端子に、各々接続されている。
【００２０】
そして、信号処理回路２２によるデジタル信号処理の一部はマイコン２０による制御に応じて実行され、タイミング信号発生部３０による各種タイミング信号の発生も、マイコン２０による制御に応じて実行される。
【００２１】
また、デジタルカメラ１０には、データバスＢＵＳに接続された外部インタフェース（以下、「外部Ｉ／Ｆ」という。）２４が内蔵されており、外部Ｉ／Ｆ２４は、デジタルカメラ１０にスマート・メディア、ＩＣカード、ＣＤ−Ｒ、ＣＤ−ＲＷ等の可搬型の記録メディア５２が装着された状態において、当該記録メディア５２に対するアクセスを司ると共に、その他のデジタル情報の外部との間の入出力を司る。
【００２２】
また、撮影を実行する際にユーザによって押圧操作されるレリーズボタン（所謂シャッター）３２と、各種メニュー画面をＬＣＤ４６に表示させるときに押圧操作されるメニューボタンや、電源オンオフする電源スイッチ、ＬＣＤ４６の表示内容から所望のものを指定するために押圧操作されるセレクトボタン、セレクトボタンによる指定結果を確定するときに押圧操作される決定ボタン等の操作部３４とが、マイコン２０に接続されており、マイコン２０は、これらのボタン類に対する操作状態を常時把握することができる。
【００２３】
また、信号処理回路２２は、ＬＣＤ駆動回路４４を介して前述のＬＣＤ４６と接続されている。マイコン２０は、ＬＣＤ駆動回路４４に制御信号を出力すると共に、信号処理回路２２を介してＬＣＤ駆動回路４４に例えば輝度信号及び色差信号からなるＹＵＶ信号（あるいはＹＣｒＣｂ信号）を出力することによって、ＬＣＤ４６に画像を表示させる。
【００２４】
ＬＣＤ駆動回路４４は、マイコン２０から入力した制御信号に応じ、信号処理回路２２から入力した画像信号に基づいて、被写体像やメニュー画面等の画像をＬＣＤ４６に表示させるための信号を生成してＬＣＤ４６に供給する。
【００２５】
ＬＣＤ４６は、視認性やコントラストなどに優れた透過タイプであり、それ自体では発光しない受光型の素子により構成されている。そのため、ＬＣＤ４６は、その裏面に、光源としてバックライト５０が配置されている。ＬＣＤ４６に表示された画像は、バックライト５０がＬＣＤ４６を照明することにより可視化される。このバックライト５０には、電流制限回路４８が接続されている。電流制限回路４８は、マイコン２０に接続され、マイコン２０の制御によりバックライト５０に流す電流を制限する。
【００２６】
ここで、ＬＣＤ駆動回路４４とＬＣＤ４６について詳細に説明する。
【００２７】
図２は、ＬＣＤ駆動回路４４及びＬＣＤ４６の詳細な構成を示したブロック図である。ＬＣＤ駆動回路４４は、信号処理部６０と、デジタルアナログ（Ｄ／Ａ）変換部７０と、バッファ（ＢＦ）７２と、制御部７４と、内部クロック回路（ＶＣＯ）７６と、タイミングコントローラ（Ｔ／Ｃ）７８と、液晶用高電圧回路８０を備えている。
【００２８】
信号処理部６０は、シリアルパラレル変換部（ＳＰＣＯＮＶ）６１、ＲＧＢ変換部（ＲＧＢ−ＭＡＴ）６２、サンプルホールド設定部（ＳＨＬＤ）６３、シャープネス設定部（ＰＩＣＴ）６４、コントラスト設定部（ＣＯＮＴ）６５、及びブライトネス設定部（ＢＲＴ）６６を含んで構成されている。
【００２９】
ＳＰＣＯＮＶ６１は、信号処理回路２２からシリアルに出力されたＹＵＶ信号を３チャンネルのパラレルデータに変換して出力する。ＲＧＢ−ＭＡＴ６２は、ＳＰＣＯＮＶ６１からパラレルに出力されたＹＵＶ信号をＲＧＢ形式の画像信号に変換する。ＳＨＬＤ６３は、ＲＧＢ−ＭＡＴ６２から出力された画像信号をサンプリングしてホールドする。さらにＰＩＣＴ６４は、シャープネス処理を行い、ＣＯＮＴ６５は、コントラストを調整し、ＢＲＴ６６は、輝度調整を行う。
【００３０】
Ｄ／Ａ変換部７０は、信号処理部６０から出力されたデジタル画像信号をアナログ画像信号に変換する。ＢＦ７２は、Ｄ／Ａ変換部７０で変換されて得られたアナログ信号をバッファリングして、ＬＣＤ４６に出力する。
【００３１】
制御部７４は、マイコン２０からの制御信号に応じて、信号処理部６０を制御する。
【００３２】
ＶＣＯ７６には、マイコン２０から、ＨＤ（水平同期信号）、ＶＤ（垂直同期信号）、ＭＣＬＫ（マスタクロック）が入力される。ＶＣＯ７６は、ＭＣＬＫから内部クロックを生成して、該生成した内部クロックと共にＨＤ、ＶＤをＴ／Ｃ７８に出力する。Ｔ／Ｃ７８は、入力された内部クロックの立ち上がりエッジに基づいて、Ｈ−ドライブパルス信号、Ｖ−ドライブパルス信号をＬＣＤ４６に出力すると共に、信号処理部６０及びＤ／Ａ変換部７０に内部クロックを出力して信号処理部６０及びＤ／Ａ変換部７０の双方の同期をとる。
【００３３】
液晶用高電圧回路８０は、入力した電圧を所定の電圧（図２では一例として＋８．５Ｖ）に昇圧してＬＣＤ４６に供給する。
【００３４】
一方、ＬＣＤ４６は、Ｈ側レベルシフタ９０、Ｈ−ドライバ９２、Ｖ側レベルシフタ９４、Ｖ−ドライバ９６、及び表示部９８を備えている。
【００３５】
Ｈ側レベルシフタ９０は、ＬＣＤ駆動回路４４のＴ／Ｃ７８から入力されたＨ−ドライブパルス信号をタイミング信号としてＨ−ドライバ９２で使用するクロック信号を発生させる。Ｖ側レベルシフタ９４は、ＬＣＤ駆動回路４４のＴ／Ｃ７８から入力されたＶ−ドライブパルス信号をタイミング信号としてＶ−ドライバ９６で使用するクロック信号を発生させる。
【００３６】
Ｈ−ドライバ９２には、ＬＣＤ駆動回路４４のＢＦ７２から画像信号が入力され、Ｈ−ドライバ９２は、上記Ｈ側レベルシフタ９０によるクロック信号をタイミング信号として該入力された画像信号に応じた信号電圧を表示部９８の信号電極に対して印加する。Ｖ−ドライバ９６は、上記Ｖ側レベルシフタ９４によるクロック信号をタイミング信号として所定の走査電圧を表示部９８の走査電極に対して印加する。これにより、入力された画像信号に応じた画像がＬＣＤ４６の表示部９８に表示される。
【００３７】
さらに、デジタルカメラ１０の内部には、各部に駆動用の電力を供給する電池４２が内蔵されている。なお、図１では、電池４２から各部への電力供給ラインのうち、電流制限回路４８及びＬＣＤ駆動回路４４に対する電力供給ラインのみが図示されており、その他の電力供給ラインは図示が省略されている。また、本実施の形態に係るデジタルカメラ１０では、電池４２として、ニッケルカドミウム電池、ニッケル水素電池、リチウムイオン電池等に代表される充電可能な二次電池を適用しているが、マンガン電池、アルカリ電池等の充電できない一次電池を適用することもできる。
【００３８】
デジタルカメラ１０には、電池４２の残容量（残量）を検出する電池残容量検出部４０が備えられている。なお、本実施の形態に係る電池残容量検出部４０は、電池４２の出力電圧値を当該電池４２の残容量に対応する値として検出するものとして構成されている。ここで、電池４２の出力電圧値から当該電池４２の残容量を検出できることを図３を参照しつつ説明する。
【００３９】
図３は、電池４２の放電容量に対する出力電圧の変化を示している。同図に示されるように、電池の特性は一般に、ある程度の放電容量までは出力電圧値が徐々に小さくなり、放電容量が大きくなると急激に出力電圧値が小さくなる。従って、出力電圧値を用いて放電容量が大きい、すなわち電池の残容量が少ないことを検出することが可能であり、特に電池の残容量が少ない場合においては測定誤差が小さくなり、電池の残容量を判定する閾値に含めるべき測定誤差相当の余分を小さくできる。
【００４０】
同図において低電圧値Ｖｔｈは、バックライト５０に供給する電流値を低下させると共に、ＬＣＤ４６に出力する画像信号のゲイン（振幅）を大きくすることによって、ＬＣＤ４６の輝度低下を防止しつつ省電力化を図る処理を開始する閾値である。
【００４１】
次に、本実施の形態に係るデジタルカメラ１０の作用を説明する。まず、デジタルカメラ１０の撮影時における全体的な処理の流れについて簡単に説明する。
【００４２】
ＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像信号）に変換して信号処理回路２２に出力する。
【００４３】
信号処理回路２２は内蔵しているラインバッファにＡＤＣ１８から順次入力されるデジタル画像信号を蓄積して一旦メモリ２６に格納する。
【００４４】
メモリ２６に格納されたデジタル画像信号は、マイコン２０による制御下で信号処理回路２２によって読み出され、これらに光源種に応じたデジタルゲインをかけることでホワイトバランス調整を行なうと共に、ガンマ処理及びシャープネス処理を行なって８ビットのデジタル画像信号を生成し、更に信号処理を施してＹＵＶ信号（あるいはＹＣｒＣｂ信号）を生成し、再びメモリ２６に格納する。
【００４５】
なお、ＬＣＤ４６は、ＣＣＤ１４による連続的な撮像によって得られた動画像（スルー画像）を表示してファインダとして使用することができるものとして構成されている。ＬＣＤ４６をファインダとして使用するときには、信号処理回路２２は、生成したＹＵＶ信号をＬＣＤ駆動回路４４を介して順次ＬＣＤ４６に出力する。これによりＬＣＤ４６にスルー画像が表示される。
【００４６】
ここで、ユーザにより静止画像の撮影が設定されているときには、レリーズボタン３２がユーザによって全押し状態とされたときに、この時点でメモリ２６に格納されているＹＵＶ信号（あるいはＹＣｒＣｂ信号）を、不図示の圧縮・伸張部によって所定の圧縮形式（本実施の形態では、ＪＰＥＧ形式）で圧縮した後に外部Ｉ／Ｆ２４を介して記録メディア５２に記録する。
【００４７】
また、ユーザにより動画像の撮影が設定されているときには、レリーズボタン３２が全押し状態とされた時点から次にレリーズボタン３２が全押し状態とされる時点までの期間、すなわち動画像の撮影を行っている期間において、所定期間毎に、メモリ２６に格納されているＹＵＶ信号（ＹＣｒＣｂ信号）を、不図示の圧縮・伸張部によって所定の圧縮形式（本実施の形態では、Ｍｏｔｉｏｎ  ＪＰＥＧ形式）で圧縮した後に外部Ｉ／Ｆ２４を介して記録メディア５２に記録する。
【００４８】
次に、図４を参照して、デジタルカメラ１０において実行されるバッテリ監視処理について説明する。なお、図４は、不図示の電源スイッチがオン状態とされ、かつユーザにより省電力モードが設定されているときにデジタルカメラ１０のマイコン２０で実行されるバッテリ監視処理の流れを示すフローチャートである。
【００４９】
ステップ１００では、マイコン２０は、電池残容量検出部４０により検出される電池４２の出力電圧値を取込む。
【００５０】
ステップ１０２では、マイコン２０は、取り込んだ電池の出力電圧値が閾値Ｖｔｈ以下であるか否かを判定する。ここで電池の出力電圧値が閾値Ｖｔｈを越えている判定した場合には、ステップ１００に戻る。また、電池の出力電圧値が閾値Ｖｔｈ以下であると判定した場合には、ステップ１０４に移行する。すなわち、電池の出力電圧値が閾値Ｖｔｈ以下になるまで、ステップ１００からステップ１０２までの処理（電池の出力電圧値を取り込み、電池の残容量を確認する処理）が所定時間間隔で繰り返される。
【００５１】
ステップ１０４では、マイコン２０は、バックライト５０に供給する電力が小さくなるように電流制限回路４８を制御する。ここでは、バックライト５０に流す電流値が予め定められた値まで低下するように制御する。
【００５２】
ステップ１０６では、マイコン２０は、ＬＣＤ４６に出力される画像信号のゲインが大きくなるようにＬＣＤ駆動回路４４を制御する。具体的には、マイコン２０は、ＬＣＤ駆動回路４４に対して、ＬＣＤ４６に出力する画像信号のゲイン（振幅）を大きくするための制御信号を出力する。
【００５３】
該制御信号は、上述したようにＬＣＤ駆動回路４４の制御部７４に入力される。制御部７４は、信号処理部６０のＢＲＴ６６を制御し、ＬＣＤ４６に出力するＲＧＢ画像信号のゲイン（振幅）を所定量だけ大きくして、ＬＣＤ４６の表示部９８の輝度調整を行う。
【００５４】
ステップ１０８では、操作部３４の電源スイッチがオフされたか否かを判断する。ここで、電源スイッチがオフされたと判断されるまでは、上記のようにバックライト５０に流す電流値を低下させた状態、かつＬＣＤ４６への画像信号のゲイン値がＵＰされた状態で、デジタルカメラ１０が駆動される。一方、ここで、電源スイッチがオフされたと判断されたときには、デジタルカメラ１０の駆動を停止しバッテリ監視処理は終了する。
【００５５】
以上詳細に説明したように、本実施の形態に係るデジタルカメラ１０では、電池の残容量が低下したときに、バックライト５０へ供給する電力を低下させると共にＬＣＤ４６への画像信号のゲインを大きくするように制御するため、液晶表示部の輝度低下を防ぎ電池寿命を延ばすことができる。
【００５６】
更に、本実施の形態に係るデジタルカメラ１０では、電池４２の出力電圧値に基づいて電池４２の残容量を検出しているので、残容量を直接検出する場合に比較して簡易に検出することができる。
【００５７】
なお、本実施の形態では、電池４２の出力電圧値を検出することによって電池４２の残容量を検出する場合について説明したが、本発明はこれに限定されるものではなく、電池４２の放電電流積算値を検出することによって電池４２の残容量を検出する形態とすることもできる。この場合には、本実施の形態に係るデジタルカメラ１０の電池残容量検出部４０を、電池４２の出力電流の積算処理を行うように構成することができる。
【００５８】
また、上記実施の形態では、バックライト５０に供給する電力が低下するように電流制限回路４８を制御した後に、ＬＣＤ４６への信号のゲインが大きくなるようにＬＣＤ駆動回路４４を制御する例について説明したが、本発明はこれに限定されるものではなく、ＬＣＤ４６への画像信号のゲインが大きくなるようにＬＣＤ駆動回路４４を制御した後に、バックライト５０に供給する電力が低下するように電流制限回路４８を制御するようにしてもよい。
【００５９】
また、上記実施の形態では、バックライト５０に供給する電力を小さくするために、バックライト５０に流す電流値が予め定められた値まで低下するように制御する例について説明したが、これに限定されず、例えば、バックライト５０に印加する電圧値が予め定められた値まで低下するように制御してもよい。
【００６０】
さらにまた、上記実施の形態では、バックライト５０に供給する電力を低下させると共に、ＬＣＤ４６に供給する画像信号のゲインを大きくすることによって、ＬＣＤ４６の輝度低下を防止しつつ省電力化を図る処理を、電池の出力電圧値が閾値Ｖｔｈ以下になったときに行う例について説明したが、これに限定されず、例えば、複数の閾値を設定しておき、各閾値毎に上記省電力化処理を行う際の、バックライト５０への供給電力値及びＬＣＤ４６への画像信号のゲイン値を設定しておくことにより、電池の残容量に応じて段階的に省電力化処理を行うことができる。
【図面の簡単な説明】
【００６１】
【図１】実施の形態に係るデジタルカメラの概略構成を示すブロック図である。
【図２】ＬＣＤ駆動回路及びＬＣＤの概略構成を示すブロック図である。
【図３】電池の放電容量に対する出力電圧の変化の一例を示した図である。
【図４】マイコンにより実行されるバッテリ監視処理の流れを示すフローチャートである。
【符号の説明】
【００６２】
１０  デジタルカメラ
２０  マイコン
２２  信号処理回路
４０  電池残容量検出部
４２  電池
４４  ＬＣＤ駆動回路
４６  ＬＣＤ
４８  電流制限回路
５０  バックライト
６０  信号処理部
６６  ブライトネス設定部（ＢＲＴ）
７４  制御部
９０  Ｈ側レベルシフタ
９２  Ｈ−ドライバ
９８  表示部
【図１】
2006201399.tif 000003
【図２】
2006201399.tif 000004
【図３】
2006201399.tif 000005
【図４】
2006201399.tif 000006